(57)【要約】【課題】吸収液中の２価水銀が金属水銀へ還元され排ガス中へ再放出することを防止する低コストで効率的な水銀再放出抑制方法を提供すること。【解決手段】脱硫装置４ａより前流側に水銀除去装置２５を設け、水銀除去装置２５内に石灰石を供給し、水銀除去装置２５内で循環している主に亜硫酸カルシウムから成る吸収液を排ガスと気液接触させることにより水銀除去装置２５で排ガス中の２価水銀を効率良く吸収し、脱硫装置４ａへの２価水銀の導入を防ぐことにより脱硫装置４ａ内での２価水銀の金属水銀への還元および金属水銀の排ガス中への放出を抑制することが可能である。また必要に応じ水銀除去装置内に酸化防止剤（インヒビタ）を添加する。【選択図】図１
2010269277.tif 000002
【特許請求の範囲】
【請求項１】
排ガス中に含有される硫黄酸化物を石灰石を含むスラリから成る吸収液を用いて吸収・除去する湿式排煙脱硫装置からの水銀再放出抑制方法において、
湿式排煙脱硫装置より前流側に設置された排ガスが導入される水銀除去装置内に石灰石を含むスラリから成る吸収液を供給して、水銀除去装置内で生成する亜硫酸カルシウムを含む吸収液を排ガスと気液接触させることを特徴とする水銀再放出抑制方法。
【請求項２】
水銀除去装置に金属固定剤を供給し、水銀除去装置から抜出した亜硫酸カルシウムを含む吸収液に空気または過酸化水素水を含む酸化剤を供給することを特徴とする請求項１記載の水銀再放出抑制方法。
【請求項３】
脱硫装置出口のガス中の金属水銀濃度が規制値の範囲内に納まるように水銀除去装置への石灰石を含むスラリから成る吸収液の供給量および水銀除去装置内の前記吸収液の循環液量が最小限となるように調節することを特徴とする請求項１記載の水銀再放出抑制方法。
【請求項４】
排ガス中に含有される硫黄酸化物を石灰石を含むスラリから成る吸収液を用いて吸収・除去する湿式排煙脱硫装置からの水銀再放出抑制装置において、
湿式排煙脱硫装置より前流側に排ガスが導入される水銀除去装置を設置し、該水銀除去装置に石灰石を含むスラリから成る吸収液の供給系と、前記吸収液の循環系を設けることを特徴とする水銀再放出抑制装置。
【請求項５】
水銀除去装置に金属固定剤の供給系を設け、水銀除去装置からの亜硫酸カルシウムを含む吸収液を溜める酸化塔を設け、該酸化塔に空気または過酸化水素水を含む酸化剤の供給系を設けたことを特徴とする請求項４記載の水銀再放出抑制装置。
【請求項６】
脱硫装置の出口排ガス流路に出口排ガス中の金属水銀濃度測定装置を設け、該金属水銀濃度測定装置の金属水銀濃度測定値がが規制値の範囲内に納まるように水銀除去装置に石灰石を含むスラリから成る吸収液の供給系における吸収液供給量および水銀除去装置の吸収液の循環系内の前記吸収液の循環液量が最小限となるように調節する制御装置を設けたことを特徴とする請求項４記載の水銀再放出抑制装置。
【発明の詳細な説明】
【技術分野】
【０００１】
本発明は金属水銀および２価水銀と共に硫黄酸化物、塩化水素およびフッ化水素などを含有するボイラ排ガスからの２価水銀を吸収・除去することにより達成される脱硫装置からの水銀再放出抑制方法および装置に関するものである。
【背景技術】
【０００２】
大気汚染防止のため排ガス中の硫黄酸化物の除去装置として、湿式石灰石−石膏脱硫装置が広く実用化されている。この脱硫装置の塔内酸化方式の構造および系統を図５に示す。ボイラ等からの排ガス１はガス入口ダクト３から脱硫装置４ａに導入され、吸収液循環配管１９から脱硫装置４ａ内に設置されたスプレヘッダ９を介して吸収液スプレ部５に設置されたスプレノズル６ａより噴霧される吸収剤の液滴と接触することにより、排ガス１中のばいじんや塩化水素、フッ化水素等の酸性ガスとともに、排ガス１中の硫黄酸化物がスプレ液滴表面で吸収される。ガスに同伴されるミストはミストエリミネータ１０により除去され、清浄な排ガス２はガス出口ダクト１１を経て、必要により再加熱されて煙突より排出される。
【０００３】
硫黄酸化物の吸収剤である石灰石１５は石灰石スラリ槽１６で石灰石スラリとし、石灰石スラリポンプ１７により吸収液供給配管２０から脱硫装置４ａ内に硫黄酸化物吸収量に応じ流量調節弁１８ａにより供給される。吸収液は脱硫装置循環ポンプ８ａにより昇圧され、吸収液循環配管１９から脱硫装置４ａ内のスプレヘッダ９を通った後、吸収液スプレ部５に供給され、スプレノズル６ａより噴霧される。脱硫装置４ａ内で排ガスから除去された硫黄酸化物は吸収液中の石灰石と反応し、中間生成物として亜硫酸カルシウムになり、図示していない酸化用空気ブロワ等により酸化空気２１が脱硫装置４ａに供給され、脱硫装置タンク部７に供給された酸化空気２１により、石膏に酸化され最終生成物（石膏）となる。
【０００４】
この様に脱硫装置内に酸化空気２１を直接供給することにより、排ガス中の硫黄酸化物の吸収反応と、生成した亜硫酸カルシウムの酸化反応を同時に進行させることにより反応全体が促進され、脱硫性能が向上する。なお、その際脱硫装置４ａに供給する酸化空気２１は、酸化用撹拌機２２により微細化することにより酸化空気の利用率を高めている。その後、吸収液スラリは抜出しポンプ１２ａにより生成石膏量に応じて抜き出され石膏脱水設備１３ａに送られ、粉体の石膏１４ａとして回収される。
【０００５】
また図６に脱硫装置４ａの塔外酸化方式の構造と系統を示す。塔外酸化方式の構造と系統が塔内酸化方式のそれと大きく異なる点は脱硫装置４ｂの入口に排ガス１の冷却及び除塵を行う除塵塔３１が設置されている点、脱硫装置４ｂでは直接酸化空気を供給せず、主に亜硫酸カルシウムから成る吸収液を排ガスと気液接触させる点、該脱硫装置４ｂから抜出された石灰石スラリ中の亜硫酸カルシウムを酸化して石膏とする酸化塔２７を設置している点である。
【０００６】
図６に示す塔外酸化反応は、循環タンク部７から排出した吸収液をｐＨ調整タンク３３に導き、該ｐＨ調整タンク３３に硫酸を供給して亜硫酸カルシウムを酸化して石膏とする反応である。このような塔外酸化方式は設備費およびユーティリティコストが大きくなるため現在ではほとんど使用されていない。
【０００７】
化石燃料を燃焼させるボイラの排ガス中には原料由来の微量な水銀成分が含有されている。排ガス中の水銀成分は金属水銀（ＨｇＯ）と２価水銀（Ｈｇ2+）の状態で存在しており、金属水銀は捕集されずに大気に放出されるが、２価水銀は水溶性が高いため、ボイラ後流に設置される湿式排煙脱硫装置などで吸収・除去される。湿式排煙脱硫装置で吸収・除去された２価水銀は、ある特定の条件（例えば、亜硫酸カルシウムの酸化反応過程など）では、金属水銀に還元され排ガス中に再放出することが知られている。
【０００８】
近年、主に米国では重金属の排出規制を強化しており、水銀も規制対象物質として指定されている。湿式排煙脱硫装置からの水銀の排出を抑制するためには、水銀の排ガス中への再放出を防止する必要があり、これまでに排ガス中の水銀の除去方法が検討されている。
【０００９】
従来技術として脱硫装置内への酸化空気量調節または酸化剤の添加を行い、吸収液の酸化還元電位を制御することにより排ガス中の水銀成分を除去する方法が提案されている（特許文献１参照）。
【００１０】
また、脱硫装置前流側に冷却液を散水する冷却装置を設置し、２価水銀を塩化水銀の状態で吸収除去する方法が提案されている（特許文献２参照）。
【００１１】
同様に脱硫装置前流側に除塵塔を設置し、除塵塔タンクの亜硫酸カルシウムから成るスラリを脱硫装置のタンクに導入し、酸化させて石膏スラリとして回収する方法が提案されている（特許文献３参照）。
【００１２】
さらに脱硫装置の前流側の冷却塔に供給する冷却水中に次亜塩素酸ソーダ、過酸化水素などの水銀除去剤を添加して水銀除去を図る方法が特許文献４に記載されている。
【００１３】
また、排ガス中の水銀を吸収した排水に金属固定剤として水酸化カルシウムを添加することが特許文献５に開示されている。
【先行技術文献】
【特許文献】
【００１４】
【特許文献１】特開２００４−３１３８３３号公報
【特許文献２】特開２００７−７５８０号公報
【特許文献３】特開昭６２−２２５２２６号公報
【特許文献４】特開平１０−２１６４７６号公報
【特許文献５】特開２００３−１２６７号公報
【発明の概要】
【発明が解決しようとする課題】
【００１５】
前記特許文献１記載の技術では、排ガス中の二酸化硫黄（ＳＯ2）などの還元性ガスによる酸化剤の消費により、酸化剤の消費量およびユーティリティコストが大きくなる問題がある。また、特許文献２記載の技術では、２価の水銀と共に排ガス中のフッ化水素および塩化水素が冷却液に吸収されるために冷却液のｐＨが極めて低くなることが考えられ、非常に高価な材料の冷却装置の設置が必要となり、経済的に有効な手段とは言えない。
【００１６】
さらに、特許文献３記載の技術では除塵塔タンクで回収した水銀が脱硫装置のタンク内で還元され、金属水銀として再び排ガス中へ放出されることから、水銀再放出抑制に対して考慮がなされていない。
【００１７】
特許文献４記載の技術は、脱硫装置の前流側の冷却塔に次亜塩素酸ソーダ、過酸化水素などの水銀除去剤を供給することが記載されているが、水銀除去剤を大量に使用する必要がある。
【００１８】
さらに特許文献５記載の技術も水銀除去だけを目的とした方法であり、排ガス脱硫の観点が抜けている。
【００１９】
本発明での課題は、従来技術の欠点を解消し、吸収液中の２価水銀が金属水銀へ還元され排ガス中へ再放出することを防止する低コストで効率的な水銀再放出を抑制する水銀再放出抑制装置と方法を提供することである。
【課題を解決するための手段】
【００２０】
上記目的を達成するために、請求項１に記載の発明は、排ガス中に含有される硫黄酸化物を石灰石を含むスラリから成る吸収液を用いて吸収・除去する湿式排煙脱硫装置からの水銀再放出抑制方法において、湿式排煙脱硫装置より前流側に設置された排ガスが導入される水銀除去装置内に石灰石を含むスラリから成る吸収液を供給して、水銀除去装置内で生成する亜硫酸カルシウムを含む吸収液を排ガスと気液接触させる水銀再放出抑制方法である。また必要に応じ水銀除去装置内に酸化防止剤（インヒビタ）を添加することができる。
【００２１】
請求項２に記載の発明は、水銀除去装置に金属固定剤を供給し、水銀除去装置から抜出した亜硫酸カルシウムを含む吸収液に空気または過酸化水素水を含む酸化剤を供給する請求項１記載の水銀再放出抑制方法である。
【００２２】
請求項３に記載の発明は、脱硫装置出口のガス中の金属水銀濃度が規制値の範囲内に納まるように水銀除去装置への石灰石を含むスラリから成る吸収液の供給量および水銀除去装置内の前記吸収液の循環液量が最小限となるように調節する請求項１記載の水銀再放出抑制方法である。
【００２３】
請求項４に記載の発明は、排ガス中に含有される硫黄酸化物を石灰石を含むスラリから成る吸収液を用いて吸収・除去する湿式排煙脱硫装置からの水銀再放出抑制装置において、湿式排煙脱硫装置より前流側に排ガスが導入される水銀除去装置を設置し、該水銀除去装置に石灰石を含むスラリから成る吸収液の供給系と、前記吸収液の循環系を設ける水銀再放出抑制装置である。
【００２４】
請求項５に記載の発明は、水銀除去装置に金属固定剤の供給系を設け、水銀除去装置からの亜硫酸カルシウムを含む吸収液を溜める酸化塔を設け、該酸化塔に空気または過酸化水素水を含む酸化剤の供給系を設けた請求項４記載の水銀再放出抑制装置である。
【００２５】
請求項６記載の発明は、脱硫装置の出口排ガス流路に出口排ガス中の金属水銀濃度測定装置を設け、該金属水銀濃度測定装置の金属水銀濃度測定値がが規制値の範囲内に納まるように水銀除去装置に石灰石を含むスラリから成る吸収液の供給系における吸収液供給量および水銀除去装置の吸収液の循環系内の前記吸収液の循環液量が最小限となるように調節する制御装置を設けた請求項４記載の水銀再放出抑制装置である。
【００２６】
（作用）
本発明では、脱硫装置前流側に設置した水銀除去装置内に石灰石を供給し、該水銀除去装置内で主に亜硫酸カルシウムから成る吸収液と排ガスを気液接触させることにより、水銀除去装置で排ガス中の２価水銀を効率良く吸収し、脱硫装置への２価水銀の導入を防ぐことにより脱硫装置内での２価水銀の金属水銀への還元および金属水銀の排ガス中への放出を抑制することが可能である。
【００２７】
また前記水銀除去装置に石灰石を供給することにより従来技術の冷却水を散布する技術（特許文献２）と比較し、水銀除去装置内のｐＨを高く維持できるため、水銀除去装置の腐食を抑制することが出来、安価な材質で水銀除去装置を設置することが可能である。さらに必要に応じて水銀除去装置内に酸化防止剤（インヒビタ）を添加することにより、亜硫酸カルシウムの排ガス中の酸素による自然酸化を防止し、亜硫酸酸化反応に伴う水銀の再放出を抑制することが可能である。
【００２８】
また水銀除去装置内に金属固定剤を供給し、水銀除去装置内の主に亜硫酸カルシウムから成る吸収液の一部を連続的に抜出しポンプにより酸化塔に供給し、空気または過酸化水素水（Ｈ2Ｏ2）などの酸化剤を酸化塔に供給することにより、２価水銀の再放出を抑制させながら亜硫酸カルシウムを石膏へ酸化させ、２価水銀を石膏中に効率良く固着させることが可能である。金属固定剤としてはキレート化合物などを使用する。生成した石膏を脱水機により脱水し、固体の石膏として回収することにより２価水銀を系外へ排出することが可能である。
【００２９】
また脱硫装置出口に水銀濃度測定装置を設け、脱硫装置出口のガス中の金属水銀濃度が規制値の範囲内に納まる様に水銀除去装置への石灰石の供給量および水銀除去装置内の吸収液循環液量が最小限となるように調節することにより、塔外酸化設備費用を低減することが可能であり、さらに２価水銀を含有した石膏の生成量を低減することが可能である。
【発明の効果】
【００３０】
本発明によれば、低コスト且つ高効率で水銀の再放出を抑制することが可能である。すなわち、請求項１、４記載の発明によれば、脱硫装置前流側に設置した水銀除去装置内に石灰石を供給し、該水銀除去装置内で主に亜硫酸カルシウムから成る吸収液と排ガスを気液接触させることにより、水銀除去装置で排ガス中の２価水銀を効率良く吸収し、脱硫装置への２価水銀の導入を防ぐことにより脱硫装置内での２価水銀の金属水銀への還元および金属水銀の排ガス中への放出を抑制することが可能である。
【００３１】
また前記水銀除去装置に石灰石を供給することにより水銀除去装置内のｐＨを高く維持できるため、水銀除去装置の腐食を抑制することが出来、安価な材質で水銀除去装置を設置することが可能である。
【００３２】
請求項２、５記載の発明によれば、請求項１、４記載の発明の効果に加えて、水銀除去装置内に金属固定剤を供給し、水銀除去装置内の亜硫酸カルシウムを含む吸収液の一部を酸化塔に抜き出して、空気または過酸化水素水（Ｈ2Ｏ2）などの酸化剤を供給することにより、２価水銀の再放出を抑制させながら亜硫酸カルシウムを石膏へ酸化させ、２価水銀を石膏中に効率良く固着させることが可能である。
【００３３】
請求項３、６記載の発明によれば、請求項１、４記載の発明の効果に加えて、脱硫装置出口排ガス中の水銀濃度に応じて水銀除去装置への石灰石の供給量および水銀除去装置内の吸収液循環液量が最小限となるように調節することにより、塔外酸化設備費用を低減することが可能であり、さらに２価水銀を含有した石膏の生成量を低減することが可能である。
【図面の簡単な説明】
【００３４】
【図１】本発明の一実施例の湿式脱硫装置の吸収塔の構造および系統を示す図である。
【図２】本発明の一実施例の湿式脱硫装置の他の構造および系統例を示す図である。
【図３】本発明の一実施例の湿式脱硫装置の他の構造および系統例を示す図である。
【図４】本発明に関する実験データを示す図である。
【図５】従来の湿式脱硫装置の塔内酸化方式の構造および系統を示す図である。
【図６】従来の湿式脱硫装置の塔外酸化方式の構造および系統を示す図である。
【発明を実施するための形態】
【００３５】
本発明について図面を参照しながら詳細に説明する。なお、本発明は以下の実施例により限定されるものではない。また、以下の実施例における構成要素には、当業者が容易に想定できるもの、あるいは実質的に同一のものが含まれる。
【実施例１】
【００３６】
本実施例に係る湿式排煙脱硫装置の概略構造を図１に示す。図１において硫黄酸化物、塩化水素およびフッ化水素とともに金属水銀、さらに２価水銀を含有するボイラ等からの排ガス１は、脱硫装置４ａの前流側に設置した水銀除去装置２５に導入され、その後脱硫装置４ａを通過し、清浄な排ガス２として排出される。
【００３７】
図１には排ガス１が水銀除去装置２５の側壁から導入される例を示しているが、排ガス１の導入箇所および導入方法は図１に示す箇所および方法に限定されるものではない。水銀除去装置２５には石灰石スラリ槽１６内の石灰石スラリからなる吸収液が吸収液供給配管２０に設けた石灰石スラリポンプ１７により供給され、水銀除去装置２５内で吸収された硫黄酸化物と反応して亜硫酸カルシウムとなる。亜硫酸カルシウムを含む吸収液は水銀除去装置２５に接続した吸収液循環配管２３に設けられた循環ポンプ８ｂにより昇圧されてスプレノズル６ｂより再び水銀除去装置２５内に噴霧されて排ガス１と気液接触する。また必要に応じて水銀除去装置２５内に酸化防止剤（インヒビタ）２６を添加してもよい。さらに水銀除去装置２５にキレート化合物などの金属固定剤３６を供給する。  
なお、吸収液循環配管２３に設けた調節弁１８ｃにより吸収液の循環流量を調節又は循環を停止できる。
【００３８】
水銀除去装置２５内では上記した反応生成物である亜硫酸カルシウムを多く含む吸収液の一部を連続的に抜出しポンプ１２ｂにより抜出し、酸化塔２７に供給する。酸化塔２７では空気または過酸化水素水などの酸化剤２８が供給されることにより亜硫酸カルシウムを石膏へ酸化させ、次いで酸化塔２７内の石膏スラリを抜出しポンプ１２ｃにより脱水機１３ｂへ供給し、脱水機１３ｂにより石膏スラリを脱水し、固体の石膏１４ｂとして回収する。脱水機１３ｂから排出されるろ液は抜出しポンプ１２ｄにより再び水銀除去装置２５に戻される。
【００３９】
図１において硫黄酸化物、塩化水素およびフッ化水素とともに金属水銀さらに２価水銀を含有するボイラ等からの排ガス１を脱硫装置４の前流側に設置した水銀除去装置２５に導入し、水銀除去装置２５内で主に亜硫酸カルシウムから成る吸収液をスプレノズル６ｂから噴霧することにより、排ガス１中の硫黄酸化物、塩化水素およびフッ化水素とともに水溶性の高い２価水銀が吸収液に吸収される。
【００４０】
図４に亜硫酸カルシウムおよび石膏中の水銀の固着量を比較した試験結果を示す。試験では所定濃度の水銀を含む水溶液に亜硫酸カルシウムまたは石膏を添加し、調製した水溶液に空気を一定時間バブリングした後の亜硫酸カルシウムまたは石膏中の水銀固着量を測定した。図４より亜硫酸カルシウムおよび石膏中の水銀の固着量を比較した結果、亜硫酸カルシウム中の水銀固着量は石膏中の水銀固着量よりも約４０倍大きい結果が得られた。この試験結果より２価水銀が亜硫酸カルシウムへ固着されることにより、金属水銀への還元および排ガス中への水銀の再放出が抑制されることを確認した。水銀除去装置２５では２価水銀が亜硫酸カルシウムに固着されるため、水銀の再放出を抑制することが可能である。また本実施例では水銀除去装置２５内に石灰石スラリ槽１６から石灰石スラリを供給する。このため従来技術の冷却水を散布する技術（特許文献２）と比較し、水銀除去装置２５内のｐＨを高く維持できるため、水銀除去装置２５の腐食を抑制することが出来、安価な材質で水銀除去装置２５を設置することが可能である。また必要に応じて水銀除去装置２５内に酸化防止剤（インヒビタ）２６を添加し、吸収液中の亜硫酸カルシウムの排ガス中の酸素による自然酸化に伴う水銀の再放出を防止する手段をとってもよい。水銀除去装置２５へキレート化合物などの金属固定剤３６を供給し、さらに水銀除去装置２５内の２価水銀を含有した主に亜硫酸カルシウムから成る吸収液の一部を連続的に抜出しポンプ１２ｂにより抜出して酸化塔２７に供給する。
【００４１】
酸化塔２７には空気または過酸化水素水（Ｈ2Ｏ2）などの酸化剤２８を添加することにより、亜硫酸カルシウムの酸化反応などにより生じる水銀の再放出を抑制させながら亜硫酸カルシウムを石膏に酸化させることが可能である。酸化塔２７で生成した石膏スラリは抜出しポンプ１２ｃにより脱水機１３ｂへ供給され、脱水機１３ｂにより脱水され、２価水銀を含有した固体の石膏１４ｂとして回収される。脱水機１３ｂから排出されるろ液は抜出しポンプ１２ｄにより再び水銀除去装置２５に戻される。
【００４２】
なお、前記水銀除去装置２５で処理された排ガスはダクト３４を経由して脱硫装置４ａに導入され、また、硫黄酸化物の吸収剤である石灰石１５は石灰石スラリ槽１６で石灰石スラリとし、石灰石スラリポンプ１７により吸収液供給配管２０を経由して脱硫装置４ａ内に硫黄酸化物吸収量に応じ流量調節弁１８ａにより供給される。脱硫装置４ａの下部に滞留する石灰石スラリは石灰石スラリポンプ８ａにより吸収液循環配管１９を経由して脱硫装置４ａ内の空塔部に設けられたスプレヘッダ９のスプレノズル６ａから噴霧され、定法通り排ガスの脱硫反応が行われる。
【００４３】
また、水銀除去装置２５と脱硫装置４ａの吸収液は攪拌機２４と酸化用攪拌機２２でそれぞれ攪拌される。脱硫装置４ａの吸収液を攪拌する酸化用攪拌機２２の回転軸の周りからは吸収液酸化用の空気２１が供給され、空気２１はファンで吸収液中で微細化され酸化反応が促進される。
【００４４】
本実施例の発明を従来技術と比較すると、まず図６に示す塔外酸化方式の脱硫装置４ｂでは本実施例の発明と同様に主に亜硫酸カルシウムから成る吸収液を排ガス１と接触させるため水銀の再放出を抑制できると考えられるが、図６に示す塔外酸化方式では副産物を石膏として回収する場合、酸化させる亜硫酸カルシウムのスラリ量が多いため、酸化塔などの塔外酸化設備が大きくなり、設備コストが増大することおよび水銀を含有した石膏が多量に生成することなどの問題がある。しかしながら本実施例の方式では図１および図２に示すように水銀除去装置２５と塔内酸化方式の脱硫装置４ａを組み合わせることにより、図６に示す塔外酸化方式の脱硫装置４ｂと比較し、塔外酸化設備へ供給するスラリ量が少ないため塔外酸化設備を小規模とすることが出来、設備コストを低減することが可能となる。
【００４５】
また副産物である水銀を含有する石膏量が図６に示す従来技術に比べて本実施例の方が少量で済むという利点もある。また図５の従来の脱硫装置４ａのタンク部７に金属固定剤３６を添加することにより水銀の再放出を抑制させる場合に比較して本実施例の方式では水銀を含有したスラリ量が少ないため金属固定剤３６の添加量が少量で済み、また副産物である金属固定剤３６を含有した石膏１４ｂの生成量も少量となる利点がある。
【００４６】
本実施例により、設備及びユーティリティーコストを従来技術よりも低減することが出来、且つ効率良く脱硫装置での水銀の再放出を抑制することが可能である。
【実施例２】
【００４７】
本実施例に係る湿式排煙脱硫装置の概略構造を図２に示す。なお、実施例１の図１で説明した同一機能を有する部材、装置は同一符号を付してその説明は省略する。
【００４８】
図２において、脱硫装置４ａの出口に水銀濃度測定装置３０を設け、水銀濃度測定装置３０の検出する濃度によって調節弁１８ｂおよび１８ｃの開度が自動的に調節される制御系統を構築し、脱硫装置４ａ出口の排ガス２中の金属水銀濃度が規制値の範囲内に納まるように水銀除去装置２５への石灰石スラリの供給量および水銀除去装置２５内の吸収液循環液量が最小限となるように制御装置３０により調節弁１８ｂおよび調節弁１８ｃの開度を制御する。
【００４９】
前記調節弁１８ｂおよび調節弁１８ｃの開度を制御することにより、水銀除去装置２５内の亜硫酸カルシウムの生成量が最小限となるため、２価水銀を含有した石膏１４ｂの生成量を最小限にすることが可能であり、さらに酸化塔２７内に添加する金属固定剤３６および亜硫酸カルシウムの酸化に必要な空気または過酸化水素水などの酸化剤２８の添加量も最小限にすることが可能である。本実施例により、ユーティリティコストを削減した効率的な水銀再放出の抑制が可能である。
【実施例３】
【００５０】
本実施例に係る湿式排煙脱硫装置の概略構造を図３に示す。なお、実施例１の図１で説明した同一機能を有する部材、装置は同一符号を付してその説明は省略する。
【００５１】
水銀除去装置として図３に示すベンチュリースクラバ３７を設置し、ベンチュリースクラバ３７内の吸収液をベンチュリースクラバタンク部３８に供給し、循環ポンプ８ｂにより吸収液を昇圧し、循環配管ｇから再びベンチュリースクラバ３７へ循環させるようにする。
【００５２】
水銀除去装置としてベンチュリースクラバ３７を設置すれば、ベンチュリースクラバ３７と脱硫装置４ａ間のダクト３４の大きさを縮小することが可能となり経済的となる。
【産業上の利用可能性】
【００５３】
本発明は低コスト且つ効率的に水銀成分を含む燃焼排ガスを処理する脱硫装置からの水銀再放出を抑制する方策として有効である。
【符号の説明】
【００５４】
１  排ガス                    ２  清浄な排ガス
３  入口ダクト                ４ａ，４ｂ  脱硫装置
５  吸収液スプレ部            ６ａ，６ｂ  スプレノズル
７  脱硫装置タンク部          ８ａ，８ｂ  循環ポンプ
９  スプレヘッダ              １０  ミストエリミネータ
１１  出口ダクト            
１２ａ，１２ｂ、１２ｃ、１２ｄ  抜出しポンプ
１３ａ  石膏脱水設備          １３ｂ  脱水機
１４ａ，１４ｂ  石膏          １５  石灰石
１６  石灰石スラリ槽          １７  石灰石スラリポンプ
１８ａ，１８ｂ，１８ｃ  流量調節弁
１９  吸収液循環配管          ２０  吸収液供給配管
２１  酸化空気                ２２  酸化用攪拌機
２３  吸収液循環配管          ２４  攪拌機
２５  水銀除去装置            ２６  酸化防止剤
２７  酸化塔                  ２８  酸化剤
３０  水銀濃度測定装置        ３１  除塵塔
３４  ダクト                  ３６  金属固定剤
３７  ベンチュリースクラバ    ３８  ベンチュリースクラバタンク部
【図１】
2010269277.tif 000003
【図２】
2010269277.tif 000004
【図３】
2010269277.tif 000005
【図４】
2010269277.tif 000006
【図５】
2010269277.tif 000007
【図６】
2010269277.tif 000008